(57)【要約】【課題】肉眼で認知又は認識可能な画像を有する画像表示体であって、コピーしたときには、その画像が損なわれて、認知や認識が不可能になる画像表示体を提供すること。【解決手段】可視画像２の上に点在し、かつ、光回折構造を有する光反射層４を設ける。点在する光反射層の隙間から肉眼で可視画像を観察し、その意味内容を認知できる。一方、コピーしたときには、照射されたコピー用照明光が光反射層の光回折構造によって回折され、この回折光がノイズとなって、可視画像の正確な複写を妨害する。このため、複写物からその可視画像を認知又は認識することが困難となる。【選択図】図１
2016107557.tif 000002
【特許請求の範囲】
【請求項１】
基材上に設けられた可視画像と、この可視画像の上に点在し、かつ、光回折構造を有する光反射層とを備えることを特徴とするコピー防止機能を有する画像表示体。
【請求項２】
点在する光反射層のうち、少なくとも３種類の光反射層の光回折構造が互いに異なる方向に光回折するものであることを特徴とする請求項１に記載の画像表示体。
【請求項３】
３種類の前記光反射層のうち、１つの光反射層が光回折する方向を０度とするとき、その他の光反射層が光回折する方向が、それぞれ、４５度及び９０度であることを特徴とする請求項２に記載の画像表示体。
【請求項４】
点在する光反射層のうち、少なくとも３種類の光反射層の光回折構造が互いに異なる空間周波数を有することを特徴とする請求項１〜３のいずれかに記載の画像表示体。
【請求項５】
３種類の前記光反射層の空間周波数が、それぞれ、１０００本／ｍｍ、１５００本／ｍｍ、１８００本／ｍｍであることを特徴とする請求項４に記載の画像表示体。
【請求項６】
光反射層が３００μｍ以下の大きさを有することを特徴とする請求項１〜５のいずれかに記載の画像表示体。
【請求項７】
前記可視画像の占める面積の４５〜５５％に前記光反射層が点在していることを特徴とする請求項１〜６のいずれかに記載の画像表示体。
【発明の詳細な説明】
【技術分野】
【０００１】
本発明は、コピー防止機能を有する画像表示体に関する。従来の画像表示体は、その画像を肉眼で認知することができ、例えば、この画像が文字等で構成されている場合には、これら文字等の意味を認識することが可能である。一方、本発明の画像表示体は、これをコピーすると、前記画像が損なわれてしまい、肉眼で認知することができない。この画像が文字等で構成されている場合には、コピーからその意味を認識することは不可能である。本発明はこのようなコピー防止機能を有するものであって、例えば、住基カード等の身分証明書、パスポート、運転免許証などに適用することができる。
【背景技術】
【０００２】
周知のように、身分証明書、パスポート、運転免許証などの個人認証媒体は、持ち主の身分を証明して、その社会的信用を担保するものである。このため、これら個人認証媒体には、持ち主本人を示す情報が表示されており、また、その偽造や贋造を防止する手段が施されている。例えば、これら個人認証媒体には、回折格子が貼付されている。この回折格子を偽造又は贋造するためには、高度の技術と高価な設備を要することから、この回折格子が貼付された個人認証媒体は真正なものと推定されるのである。
【０００３】
ところで、前述のように、個人認証媒体には、持ち主本人を示す情報が表示されており、これらの情報の中には流出が望ましくない個人情報も含まれている。例えば、会員番号等のＩＤ情報である。前述のような回折格子の貼付によってはこのような個人情報の複写を防止することができないため、例えば、個人認証媒体のコピーによってこれら個人情報の流出が生じ易いという問題があった。
【先行技術文献】
【特許文献】
【０００４】
【特許文献１】特開２０１０−４４２６７号公報
【発明の概要】
【発明が解決しようとする課題】
【０００５】
そこで、本発明は、肉眼で認知又は認識可能な画像を有する画像表示体であって、コピーしたときには、その画像が損なわれて、認知や認識が不可能になる画像表示体を提供することを目的とする。
【課題を解決するための手段】
【０００６】
すなわち、請求項１に記載の発明は、基材上に設けられた可視画像と、この可視画像の上に点在し、かつ、光回折構造を有する光反射層とを備えることを特徴とするコピー防止機能を有する画像表示体である。
【０００７】
また、請求項２に記載の発明は、点在する光反射層のうち、少なくとも３種類の光反射層の光回折構造が互いに異なる方向に光回折するものであることを特徴とする請求項１に記載の画像表示体である。
【０００８】
また、請求項３に記載の発明は、３種類の前記光反射層のうち、１つの光反射層が光回折する方向を０度とするとき、その他の光反射層が光回折する方向が、それぞれ、４５度及び９０度であることを特徴とする請求項２に記載の画像表示体である。
【０００９】
また、請求項４に記載の発明は、点在する光反射層のうち、少なくとも３種類の光反射
層の光回折構造が互いに異なる空間周波数を有することを特徴とする請求項１〜３のいずれかに記載の画像表示体である。
【００１０】
また、請求項５に記載の発明は、３種類の前記光反射層の空間周波数が、それぞれ、１０００本／ｍｍ、１５００本／ｍｍ、１８００本／ｍｍであることを特徴とする請求項４に記載の画像表示体である。
【００１１】
また、請求項６に記載の発明は、光反射層が３００μｍ以下の大きさを有することを特徴とする請求項１〜５のいずれかに記載の画像表示体である。
【００１２】
また、請求項７に記載の発明は、前記可視画像の占める面積の４５〜５５％に前記光反射層が点在していることを特徴とする請求項１〜６のいずれかに記載の画像表示体である。
【発明の効果】
【００１３】
本発明の画像表示体は、可視画像の上に光反射層が点在しているため、この点在する光反射層の隙間から可視画像を観察することができる。例えば可視画像が文字や記号から構成されている場合には、点在する光反射層の間から可視画像を観察し、その意味内容を認知することが可能である。
【００１４】
一方、この画像表示体をコピーしたときには、画像表示体に照射されたコピー用照明光が光反射層の光回折構造によって回折され、この回折光が画像ノイズとなって、可視画像の正確な複写を妨害する。すなわち、コピーすると可視画像が損傷を受けるため、得られた複写物からその可視画像を認知又は認識することが困難となる。例えば可視画像が文字や記号から構成されている場合には、複写物からその意味内容を認知することは不可能である。
【図面の簡単な説明】
【００１５】
【図１】本発明の画像表示体の例を示す平面図である。
【図２】本発明の画像表示体の要部断面図である。
【図３】図３（ａ）は本発明に係る光反射層の配置を示す説明用平面図、図３（ｂ）は光反射層の種類を示す説明図である。
【図４】図４（ａ）及び図４（ｂ）は、それぞれ、本発明の画像表示体の製造に適用する転写箔の要部断面図である。
【発明を実施するための形態】
【００１６】
本発明に係る画像表示体は任意の表示体であってよいが、コピー防止機能を有することから、機密性のある画像を有するものが好適である。このような画像表示体としては、身分証明書、パスポート、運転免許証などの個人認証媒体が例示できる。そこで、以下、ＩＤカードを例として本発明を説明する。
【００１７】
図１は、このようなＩＤカードの例を示す平面図である。このＩＤカードは、カード基材の表面に、写真、氏名、誕生日、ＩＤ番号から成る画像が表示されている。これら画像は、例えば、電子写真法、インクジェット法、あるいは転写印刷法など、適宜方法によって、カード基材の上に形成されている。
【００１８】
例示したこれら画像のうち、機密性の高い画像はＩＤ番号である。このため、この例では、ＩＤ番号にコピー防止手段が施されている。図２は、ＩＤ番号が施された領域を示す要部断面図である。すなわち、この領域では、カード基材１上にＩＤ番号から成る画像２が形成されている。そして、この画像２上に、接着剤３を介して、光反射層４が積層され
ている。図中、５は透明保護層を示しており、この透明保護層５は、後述するように、光反射層４に光回折構造を形成する際の型の役割を兼ねている。
【００１９】
光反射層４は画像２の上に点在して設けられている必要がある。そして、光反射層４が点在して設けられているため、この光反射層４の隙間を通して、画像２を肉眼で観察することができる。また、こうして観察した画像から、その意味内容、すなわち、この例ではＩＤ番号を読み取って認知することが可能である。このような認知を可能とするため、それぞれの光反射層４は、一辺が３００μｍ以下の大きさを有することが望ましい。また、同じ理由から、光反射層４は画像２が占める面積の５５％以下を占めることが望ましい。
【００２０】
なお、この例では、接着剤３及び透明保護層５の両方が、光反射層４に対応して点在して設けられているが、これに限らず、これら接着剤３及び透明保護層５は、画像２が占める領域の全体に設けられていてもよい。
【００２１】
次に、光反射層４は光回折構造を有する必要がある。このような光回折構造は、光反射膜４にストライプ状の微細な凹凸をつけることによって可能である。ストライプのピッチは、この光反射層４で反射された可視光を回折する程度であればよく、一般に、空間周波数５００〜３０００本／ｍｍ程度のピッチであればよい。そして、このように光反射層４が反射光を回折するため、コピー機の照明光を反射する際にその反射光を回折して、前記画像２、すなわち、ＩＤ番号の複写を困難にする。このように、画像２の複写を困難にするため、光反射層４は画像２が占める面積の４５％以上を占めることが望ましい。
【００２２】
点在する多数の光反射層４は、同一のストライプ状光回折構造を有していてもよいが、互いにストライプの方向や空間周波数が異なる複数種類の光反射層４が混在していることが望ましい。例えば、互いにストライプの方向が異なる複数種類の光反射層４を配置すると、コピー機の照明方向が異なる場合でも、画像２の複写を防止することができる。
【００２３】
すなわち、ストライプ状の伸びる方向に直交する方向からストライプ状光回折構造に照明光が入射した場合にはその反射光は回折されるが、ストライプの伸びる方向に沿って入射した場合には回折されない。そこで、互いにストライプの方向が異なる多種類の光反射層４を配置すると、どの方向から照明された場合であっても、多種類のこれら光反射層４のうちのいずれかの光反射層４が反射光を回折して、画像２の複写を防止できるのである。ストライプの伸びる方向、すなわち、光回折する方向は３種類以上であることが望ましく、中でも、１つの光反射層のストライプが伸びる方向を０度として、その他の光反射層のストライプが伸びる方向を、それぞれ、４５度及び９０度とすることが望ましい。
【００２４】
また、ストライプの空間周波数が異なる複数種類の光反射層４を配置すると、照明光の入射角の如何にかかわらず画像２の複写を防止することができる。コピー機の照明光の入射角はコピー機の機種によって異なるから、空間周波数が異なる複数種類の光反射層４を配置した場合には、機種によらずに画像２の複写を防止することが可能である。望ましくは、３種類以上の光反射層４である。中でも、それぞれ、１０００本／ｍｍ、１５００本／ｍｍ、１８００本／ｍｍの空間周波数を有する光反射層４である。
【００２５】
図３（ａ）は、それぞれ、方向と空間周波数が互いに異なるストライプ状光回折構造を有する９種類の光反射層４を、画像２上に配置した状態を示す説明用平面図である。これら９種類の光反射層４は、千鳥状に配列されている。図中、４０は光反射層４の存在しない部分、すなわち、点在する光反射層４の隙間の部分を示しており、この隙間４０から画像２を透視することができる。
【００２６】
なお、これら９種類の光反射層４のストライプの方向と空間周波数とは、図３（ｂ）の
マトリクスに示してある。すなわち、図３（ｂ）において、第１行の３種類の光反射層４１１，４１２，４１３は，ストライプの方向が０度で、空間周波数が互いに異なるものである。また、第２行の３種類の光反射層４２１，４２２，４２３は，ストライプの方向が９０度で、空間周波数が互いに異なるものであり、第３行の３種類の光反射層４３１，４３２，４３３は，ストライプの方向が４５度で、空間周波数が互いに異なるものである。一方、第１列の３種類の光反射層４１１，４２１，４３１は，空間周波数が１０００本／ｍｍで、ストライプの方向が互いに異なるものである。また、第２列の３種類の光反射層４１２，４２２，４３２は，空間周波数が１５００本／ｍｍで、ストライプの方向互いに異なるものであり、第３列の３種類の光反射層４１３，４２３，４３３は，空間周波数が１０００本／ｍｍで、ストライプの方向が互いに異なるものである。
【００２７】
この光反射層４を形成する方法は公知である。念のために、その形成方法を説明すると、図４（ａ）の断面図に示すように、まず転写箔を製造する。すなわち、転写基材上に、剥離容易に保護層５を塗布形成する。そして、スタンパでその表面を熱圧して、保護層５表面にストライプ状の微細な光回折構造を形成する。次に、この光回折構造の表面に金属等の光反射性薄膜を被着させて、光回折構造を有する光反射層４を形成する。次に、この表面に接着剤３を塗布して転写箔とする。そして、この転写箔を画像表示体に重ね、サーマルヘッド等を利用して、ドット状に転写することにより、本発明に係る画像表示体を製造することができる。
【００２８】
転写箔として、図４（ｂ）の断面図に示すものを使用することもできる。すなわち、転写基材上に保護層５を塗布形成し、スタンパ等によりその表面に光回折構造を形成した後、この光回折構造の表面に光反射性薄膜を被着させて、光回折構造を有する光反射層４を形成する。次に、この光反射層４をドット状に加工し、最後に接着剤３を塗布して転写箔とする。この転写箔を使用する場合には、ドット状に転写することを要しない。なお、光反射層４をドット状に加工する方法も公知である。例えば、光反射層４の上にフォトレジストを塗布し、ドット状に露光・現像した後、このレジストから露出した光反射層４をエッチングして除去することにより、光反射層４をドット状に加工することができる。また、保護層５上に水溶性樹脂をネガパターンに塗布し、この水溶性樹脂を被覆して光反射性薄膜を被着させた後、水洗して水溶性樹脂とこの上に被着した光反射性薄膜を除去することにより、光反射層４をドット状に加工することも可能である。
【００２９】
保護層５としては透明な樹脂であれば任意の樹脂が使用できる。熱可塑性樹脂のほか、熱硬化性樹脂や紫外線硬化性樹脂であってもよい。熱可塑性樹脂としては、例えば、アクリル系樹脂、エポキシ系樹脂、セルロース系樹脂、ビニル系樹脂等が例示できる。熱硬化性樹脂としては、ウレタン樹脂、メラミン系樹脂、フェノール系樹脂等が挙げられる。また、紫外線硬化性樹脂としては、エポキシ（メタ）アクリル、ウレタン（メタ）アクリレート等を例示できる。
【００３０】
また、光反射層４は、金属又は高屈折率材料を蒸着して設けることができる。金属としてはアルミニウム、錫、金、銀、クロム等が使用できる。高屈折率材料としては、酸化チタンや硫化亜鉛を例示できる。
【００３１】
接着剤３としては、アクリル樹脂、エポキシ樹脂、ポリエステル樹脂、ビニル系樹脂等が使用できる。
【符号の説明】
【００３２】
１：基材    ２：画像    ３：接着剤    ４：光反射層    ５：保護層
４０：光反射層と光反射層との間      ４１ｎ，４２ｎ，４３ｎ：光反射層
【図１】
2016107557.tif 000003
【図２】
2016107557.tif 000004
【図３】
2016107557.tif 000005
【図４】
2016107557.tif 000006